(57)【要約】【課題】バルコニーや外部廊下等のように雨水に曝されるコンクリート版において、コンクリートの乾燥収縮等に起因するひび割れの発生と、それに伴うひび割れ内への雨水の浸透を防止する。【解決手段】現場で構築されるコンクリート版２の長さ方向に間隔を隔て、コンクリート版２の長さ方向に一定以上の厚さを有し、コンクリートの硬化時及び／又はコンクリートの硬化後の収縮、及びコンクリート版２ａ，２ａの相対変形に追従可能な弾性を有する成型板３をコンクリート版２の全断面に配置する。【選択図】　　　図１
2004027704.tif 000002
【特許請求の範囲】
【請求項１】
現場で構築されるコンクリート版の長さ方向に間隔を隔てて形成されるひび割れ防止用のスリットであり、コンクリート版の長さ方向に一定以上の厚さを有し、コンクリートの硬化時及び／又はコンクリートの硬化後の収縮、及びスリットを挟んで区分されるコンクリート版の相対変形に追従可能な弾性を有する成型板がコンクリート版の全断面に配置されているコンクリート版のひび割れ防止スリット。
【請求項２】
成型板の周囲の少なくとも上下にシーリング材が充填されている請求項１記載のコンクリート版のひび割れ防止スリット。
【請求項３】
現場で構築されるコンクリート版の長さ方向に間隔を隔て、コンクリート版の長さ方向に一定以上の厚さを有し、コンクリートの硬化時及び／又はコンクリートの硬化後の収縮、及びコンクリート版の相対変形に追従可能な弾性を有する成型板をコンクリート版の全断面に配置した状態でコンクリートを打設し、コンクリート版の長さ方向に間隔を隔ててスリットを形成するコンクリート版のひび割れ防止スリットの形成方法。
【請求項４】
スリットを挟んだ一方のコンクリート版中に埋設される取付部材に成型板を固定する請求項３記載のコンクリート版のひび割れ防止スリットの形成方法。
【請求項５】
コンクリートの硬化後、成型板の周囲の少なくとも上下を除去し、除去部分にシーリング材を充填する請求項３、もしくは請求項４記載のコンクリート版のひび割れ防止スリットの形成方法。
【請求項６】
成型板の周囲の少なくとも上下に予め、除去すべき範囲で切れ目を入れてある請求項５記載のコンクリート版のひび割れ防止スリットの形成方法。
【発明の詳細な説明】
【０００１】
【発明の属する技術分野】
この発明はバルコニーや外部廊下等のように雨水に曝されるコンクリート版において、コンクリートの乾燥収縮等に起因するひび割れの発生と、それに伴うひび割れ内への雨水の浸透を防止するコンクリート版のひび割れ防止スリット及びその形成方法に関するものである。
【０００２】
【従来の技術及び発明が解決しようとする課題】
例えば集合住宅のバルコニーや外部廊下等のように雨水に曝されるコンクリート版では下階を居室等にしないことを条件として、コンクリートの表面に防水処理をしない施工が認められている。
【０００３】
このため、コンクリートの乾燥収縮等によるひび割れが発生した場合に雨水に対して無防備な状態にあり、ひび割れから雨水が浸入すれば、コンクリート版の下端にまで達し、コンクリート版の裏面において白華や漏水が発生する他、コンクリート版中の鉄筋が発錆する等の不具合を招く。
【０００４】
この問題に対し、特開２００１−３４９２、特開２００１−２２０８３３、特開２００２−４４４３等のようにコンクリート版の表面側に目地を形成し、目地に合成樹脂発泡体等の弾性を有する目地材を充填する方法もあるが、目地部にのみ充填された目地材はコンクリート打設後のコンクリートの収縮や外力によるコンクリート版の挙動に追従しきれないため、目地材によってはひび割れを完全に防止することはできない。
【０００５】
この発明は上記背景より、コンクリートの収縮や外力によるコンクリート版の挙動に対する追従性がよく、雨水の浸入防止効果の高いひび割れ防止スリットとその形成方法を提案するものである。
【０００６】
【課題を解決するための手段】
本発明ではコンクリート版の長さ方向に間隔を隔て、コンクリート版の長さ方向に一定以上の厚さを有し、コンクリートの硬化時及び／又はコンクリートの硬化後の収縮、及びコンクリート版の相対変形に追従可能な弾性を有する成型板をコンクリート版の全断面に配置することにより、コンクリート版の収縮やコンクリート版の相対変形に対する成型板の追従性を高め、雨水の浸入防止効果を高める。
【０００７】
コンクリート版の全断面に成型板が介在したスリットが形成されることで、コンクリート版内の配筋がスリット間単位で完結し、スリット間単位でコンクリート版が長さ方向に分離するため、コンクリートの収縮やコンクリート版の相対変形がスリットを挟んで区分されるコンクリート版単位で生ずることになり、収縮や相対変形に伴うコンクリート中の応力の発生が緩和され、コンクリート版自体に収縮や相対変形に伴うひび割れ発生の可能性が低下する。
【０００８】
その上でコンクリート版の幅方向に連続して形成されたスリットの全長に成型板が配置されることで、成型板がコンクリート版の幅方向の一部に配置される場合より長くなり、成型板自体の変形能力が上昇するため、成型板の、コンクリートの収縮や外力によるコンクリート版の挙動に対する追従性が向上する。この結果、コンクリート版自体のひび割れ発生の可能性の低下と併せ、雨水のコンクリート中への浸透とそれに起因する白華や漏水の発生、鉄筋の発錆等の不具合が回避される。
【０００９】
成型板はコンクリートの打設時に、スリットを挟んで区分されるコンクリート版単位でコンクリートをせき止める堰板の役目を果たす必要から、コンクリート版の全幅に亘り、コンクリート版の全厚に相当する幅を有するが、コンクリートの硬化後のスリットにおけるコンクリート版と成型板との間での雨水の浸透防止効果を確実にする上では、請求項２に記載のように成型板の周囲等、周囲の少なくとも上下にシーリング材が充填される。
【００１０】
スリットは請求項３に記載のようにコンクリート版の長さ方向に間隔を隔て、成型板をスリットの形成位置に配置した状態でコンクリートを打設することにより、コンクリート版の全断面に形成される。
【００１１】
成型板は任意の方法でスリット位置に設置されるが、例えば請求項４に記載のようにスリットを挟んだ一方のコンクリート版中に埋設される取付部材に成型板を固定することにより簡単に、且つ正確に成型板を設置することができる。この場合、取付部材はコンクリート中に埋め殺しされる。
【００１２】
成型板は上記の通り、コンクリート打設時の堰板としての機能上、コンクリート版の全幅に相当する長さと、コンクリート版の全厚に相当する幅を有するが、雨水の浸透防止効果を確保するために成型板の周囲の少なくとも上下にシーリング材を充填する場合は請求項５に記載のようにシーリング材の盛り上がりが生じないようにするために、成型板の周囲の少なくとも上下が一定深さで除去され、除去部分にシーリング材が充填される。
【００１３】
この場合、成型板の除去はコンクリートの打設後に行われることから、除去のための作業性を高めるために、請求項６に記載のように必要により成型板の周囲の少なくとも上下に予め、除去すべき範囲で切れ目が入れられる。
【００１４】
【発明の実施の形態】
請求項１に記載のひび割れ防止スリット（以下スリット）１は図１，図２に示すように現場で構築されるコンクリート版２の長さ方向に間隔を隔て、コンクリート版２の全断面に、弾性を有する成型板３を配置して形成されるものである。
【００１５】
コンクリート版２は集合住宅のバルコニーや外部廊下その他、屋外に面する部位に現場において長さ方向に連続して構築される床版状のコンクリート版全般を含む。
【００１６】
コンクリート版２は図２に示すように型枠４を組み立て、型枠４上に鉄筋を２方向に配筋した後、スリット１の形成位置に成型板３を設置し、型枠４上にスリット１，１間単位でコンクリートを打設することにより、スリット１，１間単位で分離した状態で構築される。スリット１，１間単位のコンクリート版２ａがスリット１の位置で分離することで、型枠４上に２方向に配筋される鉄筋の内、コンクリート版２ａの長さ方向に配筋される鉄筋（配力筋）はスリット１，１間単位で完結した状態で配筋される。
【００１７】
成型板３はコンクリートの打設時にコンクリート版２ａ，２ａをスリット１，１間単位で区分させる役目を持つことから、コンクリート版２ａの全幅に相当する長さと、コンクリート版２ａの全厚に相当する幅を持ち、コンクリート版２ａの長さ方向にはスリット１の幅として適度な一定以上の厚さを持って成型される。
【００１８】
成型板３は例えば発泡ポリスチレン、発泡ポリエチレン、発泡ポリウレタン等の弾性を有する軽量な合成樹脂発泡体等から製作され、厚さ方向にはコンクリートの硬化時及び／又はコンクリートの硬化後の収縮に追従できるだけの弾性を有し、長さ方向と幅方向には外力による、スリット１，１間単位で分離したコンクリート版２ａ，２ａ間の相対変形に追従できるだけの弾性変形能力を有し、相対変形に応じてせん断変形、もしくは曲げ変形を生ずる。
【００１９】
成型板３は図１，図２に示すようにスリット１を挟んだ片側の型枠４上に固定される取付部材５に保持された状態でスリット１の位置に設置される。取付部材５は２方向に成型板３と型枠４に固定されるための取付板５ａ，５ｂを有し、各取付板５ａ，５ｂにおいて釘６やねじ等により成型板３と型枠４に固定される。図面ではコンクリート打設時の成型板３の傾斜を防止するために、２方向の取付板５ａ，５ｂに直交するスチフナ５ｃを一体化させている。
【００２０】
コンクリートの硬化後、成型板３の周囲等、少なくとも上下には成型板３とコンクリート版２ａ間への雨水の浸入防止のためにシーリング材が充填され、シーリング材がコンクリート版２ａの表面から盛り上がらないよう、図２に破線で示すように成型板３の一部が一定深さ、例えば２０ｍｍ程度で除去されるが、成型板３の上下や周囲を一定深さで正確に除去するために、図３に示すように成型板３の除去部分には予め除去すべき範囲で切れ目３ａが入れられる。図３は成型板３全体の形状を示している。
【００２１】
【発明の効果】
請求項１、請求項３ではコンクリート版の長さ方向に間隔を隔て、コンクリート版の長さ方向に一定以上の厚さを有し、コンクリートの硬化時及び／又はコンクリートの硬化後の収縮、及びコンクリート版の相対変形に追従可能な弾性を有する成型板をコンクリート版の全断面に配置してコンクリート版の全断面にスリットを形成することで、スリット間単位でコンクリート版を長さ方向に分離させるため、コンクリートの収縮とコンクリート版の相対変形をスリット間単位で生じさせることができ、収縮や相対変形に伴うコンクリート中の応力の発生を緩和し、コンクリート版自体に収縮や相対変形に伴うひび割れ発生の可能性を低下させることができる。
【００２２】
またコンクリート版の幅方向に連続して形成されたスリットの全長に成型板を配置することで、成型板がコンクリート版の幅方向の一部に配置される場合より成型板自体の変形能力が上昇するため、成型板の、コンクリートの収縮やコンクリート版の相対変形に対する追従性が向上する。
【００２３】
この結果、コンクリート版自体のひび割れ発生の可能性の低下と併せ、雨水の浸透とそれに起因する白華や漏水の発生、鉄筋の発錆等の不具合を回避することができる。
【００２４】
請求項２、請求項５では成型板の周囲等、少なくとも上下にシーリング材を充填するため、コンクリートの硬化後のスリットにおけるコンクリート版と成型板との間での雨水の浸透防止効果を確実にすることができる。
【００２５】
請求項６では成型板の少なくとも上下に予め、除去すべき範囲で切れ目を入れるため、シーリング材を充填するための成型板の除去作業を容易に行うことができる。
【００２６】
請求項４では目地を挟んだ一方のコンクリート版中に埋設される取付部材に成型板を固定するため、簡単に、且つ正確に成型板を設置することができる。
【図面の簡単な説明】
【図１】コンクリート版への成型板の設置状況を示した斜視図である。
【図２】図１のコンクリート版を幅方向に見た縦断面図である。
【図３】成型板に切れ目を入れた様子を示した斜視図である。
【符号の説明】
１……スリット、２……コンクリート版、２ａ……コンクリート版、３……成型板、３ａ……切れ目、４……型枠、５……取付部材、５ａ，５ｂ……取付板、５ｃ……スチフナ、６……釘。
【図１】
2004027704.tif 000003
【図２】
2004027704.tif 000004
【図３】
2004027704.tif 000005